(57)【要約】【課題】楽音操作による楽音変化の内容を報知する。【解決手段】電子鍵盤楽器１は、複数の鍵２１及び発光部２１１を有する鍵盤部２２と、複数の鍵２１のうちの押鍵操作された鍵２１に対応する音高の楽音を発生させる音声出力部６０と、押鍵操作以外のユーザ操作により、音声出力部６０が発生させた楽音の変化内容を指示する操作部２３及びペダル３と、操作部２３及びペダル３への操作による楽音の変化内容に応じた発光態様で発光部２１１を発光させる制御部８０とを備える。【選択図】図２
2019060945.tif 000002
【特許請求の範囲】
【請求項１】
複数の鍵及び発光部を有する鍵盤部と、
前記複数の鍵のうちの押鍵操作された鍵に対応する音高の楽音を発生させる楽音発生手段と、
前記押鍵操作以外のユーザ操作により、前記楽音発生手段が発生させた楽音の変化内容を指示する楽音操作部と、
前記楽音操作部への操作による楽音の変化内容に応じた発光態様で、前記発光部を発光させる発光制御手段と、
を備えることを特徴とする電子鍵盤楽器。
【請求項２】
前記発光部が前記複数の鍵の各々に設けられており、
前記発光制御手段は、前記押鍵操作が行われた鍵の発光部を、前記楽音の変化内容に応じた発光態様で発光させることを特徴とする請求項１に記載の電子鍵盤楽器。
【請求項３】
前記発光制御手段は、前記押鍵操作が行われた鍵の発光部と、前記押鍵操作が行われていない鍵の発光部とを、前記楽音の変化内容に応じた発光態様で発光させることを特徴とする請求項２に記載の電子鍵盤楽器。
【請求項４】
前記発光部が前記複数の鍵の各々に設けられており、
前記発光制御手段は、複数の前記発光部を同時に発光させる発光態様を、前記楽音の変化内容に応じて変化させることを特徴とする請求項１から３のいずれか一項に記載の電子鍵盤楽器。
【請求項５】
前記発光制御手段は、前記押鍵操作が行われた鍵を基準として選択された複数の鍵の発光部を同時に発光させる発光態様を、前記楽音の変化内容に応じて変化させることを特徴とする請求項４に記載の電子鍵盤楽器。
【請求項６】
前記楽音発生手段は、前記押鍵操作の強さ又は速さに応じた音量で楽音を発生させ、
前記発光制御手段は、前記発光部を、前記押鍵操作の強さ又は速さに応じた発光態様で発光させるとともに、前記楽音の変化内容に応じた発光態様で発光させることを特徴とする請求項１から５のいずれか一項に記載の電子鍵盤楽器。
【請求項７】
前記発光制御手段は、前記複数の鍵の発光部を、前記押鍵操作の強さ又は速さと、前記楽音の変化内容との組み合わせに応じた発光態様で発光させることを特徴とする請求項６に記載の電子鍵盤楽器。
【請求項８】
前記楽音操作部は、楽音の音量を変化させるボリューム操作子を有し、
前記発光制御手段は、前記押鍵操作が行われたときであって前記ボリューム操作子が操作された場合に、音量の変化内容に基づいて前記発光部を発光させることを特徴とする請求項１から７のいずれか一項に記載の電子鍵盤楽器。
【請求項９】
前記楽音操作部は、楽音にビブラートを付与するモジュレーション操作子を有し、
前記発光制御手段は、前記押鍵操作が行われたときであって前記モジュレーション操作子が操作された場合に、付与されたビブラートの内容に基づいて前記発光部を発光させることを特徴とする請求項１から７のいずれか一項に記載の電子鍵盤楽器。
【請求項１０】
前記発光制御手段は、前記押鍵操作が行われたときであって前記モジュレーション操作子が操作された場合に、付与されたビブラート周波数に対応した点滅周期で前記発光部を発光させることを特徴とする請求項９に記載の電子鍵盤楽器。
【請求項１１】
前記発光部が前記複数の鍵の各々に設けられており、
前記楽音操作部は、楽音の音高を変化させるピッチベンド操作子を有し、
前記発光制御手段は、前記押鍵操作が行われたときであって前記ピッチベンド操作子が操作された場合に、音高の変化内容に基づいて、前記押鍵操作が行われた鍵の発光部と、音高の変化方向に対応した他の鍵の発光部とを発光させることを特徴とする請求項１から７のいずれか一項に記載の電子鍵盤楽器。
【請求項１２】
前記発光制御手段は、前記押鍵操作が行われたときであって前記ピッチベンド操作子が操作された場合に、前記押鍵操作が行われた鍵の発光部と前記他の鍵の発光部とを、音高の変化内容に対応した発光強度で発光させることを特徴とする請求項１１に記載の電子鍵盤楽器。
【請求項１３】
前記発光部が前記複数の鍵の各々に設けられており、
前記楽音操作部は、楽音を変化させるペダルを有し、
前記発光制御手段は、前記押鍵操作が行われたときであって前記ペダルが操作された場合に、前記押鍵操作が行われた鍵であって前記ペダルの操作により楽音が変化している鍵の発光部を発光させることを特徴とする請求項１から７のいずれか一項に記載の電子鍵盤楽器。
【請求項１４】
複数の鍵及び発光部を有する鍵盤部と、前記複数の鍵のうちの押鍵操作された鍵に対応する音高の楽音を発生させる楽音発生手段と、前記押鍵操作以外のユーザ操作により、前記楽音発生手段が発生させた楽音の変化内容を指示する楽音操作部と、を備える電子鍵盤楽器の鍵盤発光方法であって、
発光制御手段が、前記楽音操作部への操作による楽音の変化内容に応じた発光態様で、前記発光部を発光させることを特徴とする鍵盤発光方法。
【請求項１５】
複数の鍵及び発光部を有する鍵盤部と、前記複数の鍵のうちの押鍵操作された鍵に対応する音高の楽音を発生させる楽音発生手段と、前記押鍵操作以外のユーザ操作により、前記楽音発生手段が発生させた楽音の変化内容を指示する楽音操作部と、を備える電子鍵盤楽器の鍵盤発光プログラムであって、
コンピュータを、前記楽音操作部への操作による楽音の変化内容に応じた発光態様で、前記発光部を発光させる発光制御手段として機能させることを特徴とする鍵盤発光プログラム。
【発明の詳細な説明】
【技術分野】
【０００１】
本発明は、電子鍵盤楽器、鍵盤発光方法及び鍵盤発光プログラムに関する。
【背景技術】
【０００２】
従来、鍵盤を発光させて押鍵操作の内容を報知したり演奏操作をガイドしたりする電子鍵盤楽器が知られている。
例えば特許文献１には、押鍵位置に対応する音高や押鍵速度に対応する音量を、鍵盤を発光させて報知する電子鍵盤楽器が記載されている。
また、特許文献２には、演奏データに基づいて、操作すべきペダルに関する情報を、鍵盤を発光させて指示する電子鍵盤楽器が記載されている。
【先行技術文献】
【特許文献】
【０００３】
【特許文献１】特開２０１５−８１９８３号公報
【特許文献２】特開２０００−３１５０８０号公報
【発明の概要】
【発明が解決しようとする課題】
【０００４】
しかしながら、上記特許文献１、２に記載の技術は、押鍵操作の内容を報知したりペダル操作を指示したりするだけのものであり、ペダル操作等の楽音操作による楽音変化の内容を報知できるものではなかった。そのため、演奏者は楽音操作による効果を認識しにくかった。
【０００５】
本発明は、以上のような事情に鑑みてなされたものであり、楽音操作による楽音変化の内容を報知することができる電子鍵盤楽器、鍵盤発光方法及び鍵盤発光プログラムを提供することを目的とするものである。
【課題を解決するための手段】
【０００６】
上記目的を達成するために、本発明に係る電子鍵盤楽器は、
複数の鍵及び発光部を有する鍵盤部と、
前記複数の鍵のうちの押鍵操作された鍵に対応する音高の楽音を発生させる楽音発生手段と、
前記押鍵操作以外のユーザ操作により、前記楽音発生手段が発生させた楽音の変化内容を指示する楽音操作部と、
前記楽音操作部への操作による楽音の変化内容に応じた発光態様で、前記発光部を発光させる発光制御手段と、
を備えることを特徴とする。
【発明の効果】
【０００７】
本発明によれば、楽音操作による楽音変化の内容を報知することができる電子鍵盤楽器、鍵盤発光方法及び鍵盤発光プログラムを提供できる。
【図面の簡単な説明】
【０００８】
【図１】実施形態における電子鍵盤楽器の平面図である。
【図２】実施形態における電子鍵盤楽器の概略の内部構成を示すブロック図である。
【図３】実施形態における鍵盤発光処理の流れを示すフローチャートである。
【図４】実施形態における鍵盤発光処理の流れを示すフローチャートである。
【図５】実施形態における鍵盤発光処理の流れを示すフローチャートである。
【図６】実施形態における鍵盤発光処理の流れを示すフローチャートである。
【図７】実施形態における鍵盤発光処理での鍵の発光状態の一例を示す図である。
【図８】実施形態における鍵盤発光処理での鍵の発光状態の一例を示す図である。
【図９】実施形態における鍵盤発光処理の変形例の流れを示すフローチャートである。
【発明を実施するための形態】
【０００９】
以下、図１〜図９を参照して、本発明の実施形態について説明する。
なお、以下に述べる実施形態には、本発明を実施するために技術的に好ましい種々の限定が付されているが、本発明の範囲を以下の実施形態及び図示例に限定するものではない。
【００１０】
［電子鍵盤楽器の構成］
図１は、本実施形態における電子鍵盤楽器１の平面図である。
この図に示すように、本実施形態における電子鍵盤楽器１は、電子ピアノであり、鍵盤楽器本体２とペダルユニット３とを備えている。
鍵盤楽器本体２は、複数の鍵２１を有する鍵盤部２２と、ユーザが各種操作を行う操作部２３とを備えている。
【００１１】
鍵盤部２２には、複数の鍵２１が鍵盤楽器本体２の左右方向に並列に配列されている。複数の鍵２１は、白鍵２１ａ及び黒鍵２１ｂを有している。また、複数の鍵２１の各々は、例えばＬＥＤ（Light Emitting Diode）などによる発光部２１１を内蔵しており、上面の一部が発光するように構成されている（図２、図７等参照）。
操作部２３は、ユーザにより操作される各種の操作子２４を有しており、本実施形態では、音量を変更可能なボリュームつまみ２４ａと、ビブラートを発生可能なモジュレーションホイール２４ｂと、ピッチ（音高）を変更可能なピッチベンドホイール２４ｃとを有している。
【００１２】
ペダルユニット３は、ダンパーペダル３１ａ、ソステヌートペダル３１ｂ、ソフトペダル３１ｃの３本のペダル３１を有しており、鍵盤楽器本体２の下方に配置されている。
このペダルユニット３と上述の操作部２３とは、ユーザ操作を受けて、複数の鍵２１への押鍵操作によって発生した楽音への変化内容を指示する楽音操作部を構成している。
【００１３】
続いて、電子鍵盤楽器１の内部構成について説明する。
図２は、電子鍵盤楽器１の概略の内部構成を示すブロック図である。
この図に示すように、電子鍵盤楽器１は、入力部４０と、表示部５０と、音声出力部６０と、記憶部７０と、制御部８０とを備えている。
【００１４】
入力部４０は、上述した複数の鍵２１、複数の操作子２４及び３つのペダル３１を備えており、押下された鍵２１やペダル３１、又は操作された操作子２４の位置やその操作量（押鍵速度やペダル踏込量を含む）を検出し、これに対応する信号を制御部８０に出力する。
【００１５】
表示部５０は、複数の鍵２１に対応する上述の複数の発光部２１１を備えており、制御部８０からの制御信号に基づいてこれら複数の発光部２１１の点灯を制御して、演奏された楽音に関する各種情報を表示する。
【００１６】
音声出力部６０は、音源部６１とスピーカー６２とを備えている。
音源部６１は、制御部８０からの制御信号に基づいて、スピーカー６２から出力させる楽音信号を生成する。より詳しくは、音源部６１は、鍵２１への演奏操作に基づく信号に、ペダル３１や操作子２４への操作に基づく楽音効果を付与することで、楽音信号を生成する。
スピーカー６２は、音源部６１からの楽音信号に基づいて、楽音を発生させる。
【００１７】
記憶部７０は、電子鍵盤楽器１の各種機能を実現するためのプログラムやデータを記憶するとともに作業領域としても機能するメモリである。本実施形態においては、記憶部７０は、鍵盤発光プログラム７１を記憶している。
鍵盤発光プログラム７１は、後述の鍵盤発光処理（図３等参照）を制御部８０に実行させるためのプログラムである。
【００１８】
制御部８０は、電子鍵盤楽器１の各部を中央制御する。具体的に、制御部８０は、入力部４０から入力される操作信号等に応じて記憶部７０に格納された各種プログラムを読み出し、当該プログラムに従って、発光部２１１を点灯させたり音声出力部６０から楽音を出力させたりする。
【００１９】
［鍵盤発光処理］
続いて、電子鍵盤楽器１が鍵２１を発光させる鍵盤発光処理について説明する。
図３〜図６は、鍵盤発光処理の流れを示すフローチャートであり、図７及び図８は、鍵盤発光処理における鍵２１の発光状態の一例を示す図である。なお、図７及び図８では、発光部２１１のうち発光しているもののみを示しており、発光していない発光部２１１の図示を省略している（但し、図８（ｂ）の破線部を除く）。また、図７及び図８では、押鍵操作された鍵２１を、先端に指を付した画で示している。
【００２０】
鍵盤発光処理は、ユーザにより楽音操作子が操作されたときに、この操作に対応させて鍵２１を発光させる処理であり、短い周期で繰り返し実行される。ここで、「楽音操作子」とは、鍵２１への演奏操作により発生した楽音に変化を付与する操作子であって、本実施形態では、操作部２３の操作子２４や、ペダルユニット３のペダル３１である。
この鍵盤発光処理は、ユーザ操作に基づいて制御部８０が記憶部７０から鍵盤発光プログラム７１を読み出して展開することで実行される。
【００２１】
図３に示すように、鍵盤発光処理が実行されているときに、いずれかの鍵２１に対して押鍵操作がなされると（ステップＳ１）、制御部８０は、入力部４０により、押下された鍵２１の位置を検出するとともに（ステップＳ２）、この鍵２１の押下される強さ又は速さ（押鍵強度）を検出する（ステップＳ３）。そして、制御部８０は、音声出力部６０により、押鍵位置に対応する音高の楽音を、押鍵強度に対応する音量で発生させる。
【００２２】
次に、制御部８０は、ステップＳ２で検出した押鍵位置（音高）に対応する鍵２１の発光部２１１を、ステップＳ３で検出した押鍵強度（音量）に対応する発光パターンで発光させる（ステップＳ４）。
このときの発光パターン（発光態様）は、本実施形態では、図７（ａ）に示すように、音量に対応した発光強度で鍵２１を発光させたものとなっている。但し、この発光パターンは音量に対応したものであれば特に限定されず、例えば、音量に対応した点滅速度（例えば、音量が大きいほど点滅が速い）、または発光色（例えば、音量が大きいほど濃色）で鍵２１を発光させたものでもよい。或いは、図７（ｂ）に示すように、押鍵操作された鍵２１を基準として選択された複数の鍵２１の発光部２１１の発光数で音量を示すインジケータ表示であってもよい。図７（ｂ）の例では、図中に破線で示した全体で７鍵分の発光数に対して３つの鍵２１の発光部２１１が発光した３／７の音量状態を示している。
【００２３】
次に、図３に示すように、制御部８０は、操作部２３のボリュームつまみ２４ａが操作されたか否かを判定する（ステップＳ５）。
そして、ボリュームつまみ２４ａが操作されたと判定した場合（ステップＳ５；Ｙｅｓ）、制御部８０は、入力部４０によりその操作内容（操作方向及び操作量）を検出し、当該操作内容に応じて、音声出力部６０から出力させる音量を変える（ステップＳ６）。
【００２４】
またこのとき、制御部８０は、ステップＳ６での音量の変化内容に対応させて、ステップＳ４で発光させた鍵２１の発光パターンを変化させる（ステップＳ７）。
本実施形態では、音量に対応した発光強度で鍵２１を発光させているため、この音量の変化内容に対応させて当該鍵２１の発光強度を変化させる。発光パターンが点滅速度、発光色、又はインジケータ表示である場合には、音量の変化に対応させてこれらの発光パターンを変化させてもよい。或いは、押鍵強度と音量の変化内容との組み合わせに応じた発光パターンで鍵２１を発光させることとしてもよい。
これにより、楽音の音量変化を報知することができ、ユーザ（演奏者）は音量変化の程度を視覚的に認識することができる。
その後、制御部８０は、後述のステップＳ９へ処理を移行する。
【００２５】
一方、上述のステップＳ５において、ボリュームつまみ２４ａは操作されていないと判定した場合（ステップＳ５；Ｎｏ）、図４に示すように、制御部８０は、操作部２３のモジュレーションホイール２４ｂが操作されたか否かを判定する（ステップＳ１１）。
そして、モジュレーションホイール２４ｂが操作されたと判定した場合（ステップＳ１１；Ｙｅｓ）、制御部８０は、入力部４０によりその操作内容を検出し、当該操作内容に応じて音高を周期的に変化させて、音声出力部６０から出力させる楽音にビブラートをかける（ステップＳ１２）。
【００２６】
またこのとき、制御部８０は、ビブラート操作に対応させて、ステップＳ４で発光させた鍵２１の発光パターンを変化させる（ステップＳ１３）。
具体的には、図７（ｃ）に示すように、制御部８０は、ビブラート周波数に対応させた点滅周期で鍵２１を点滅発光させる。但し、このときの発光態様は、ビブラート周波数を報知できるものであれば点滅でなくともよく、例えば上述したように、発光部２１１の発光強度や発光色、又は発光数などでビブラート周波数を表現することとしてもよい。
これにより、楽音のビブラートを報知することができ、ユーザ（演奏者）はビブラートのかかり具合を視覚的に認識することができる。
その後、制御部８０は、後述のステップＳ９へ処理を移行する。
【００２７】
一方、上述のステップＳ１１において、モジュレーションホイール２４ｂは操作されていないと判定した場合（ステップＳ１１；Ｎｏ）、図５に示すように、制御部８０は、操作部２３のピッチベンドホイール２４ｃが操作されたか否かを判定する（ステップＳ２１）。
そして、ピッチベンドホイール２４ｃが操作されたと判定した場合（ステップＳ２１；Ｙｅｓ）、制御部８０は、入力部４０によりその操作内容を検出し、当該操作内容に応じて、音声出力部６０から出力させる楽音の音高を滑らかに上下に変化させる（ステップＳ２２）。
【００２８】
またこのとき、制御部８０は、押鍵位置の鍵２１Ｄと、音高の変化方向に対応する他の鍵２１Ａとを、音高の変化内容に基づいて発光させる（ステップＳ２３）。
具体的には、図８（ａ）に示すように、制御部８０は、ピッチベンド操作による音高の変化方向に対応する他の鍵２１Ａを特定し（図８（ａ）の例では半音高い黒鍵２１ｂ）、この他の鍵２１Ａを押鍵位置の鍵２１Ｄとともに発光させる。
このとき、制御部８０は、図８（ａ）の右側のグラフに示すように、押鍵位置の鍵２１Ｄと他の鍵２１Ａとを、音高の変化内容（ピッチベンダーのかかり具合）に応じた発光強度で各々発光させる。但し、このときの発光態様は、ピッチベンダーのかかり具合を報知できるものであれば発光強度を変えるものでなくともよく、例えば上述したように、発光部２１１の発光色や発光数、又は点滅速度などでピッチベンダーのかかり具合を表現することとしてもよい。
これにより、楽音のピッチ変化を報知することができ、ユーザ（演奏者）はピッチベンダーのかかり具合を視覚的に認識することができる。
その後、制御部８０は、後述のステップＳ９へ処理を移行する。
【００２９】
一方、上述のステップＳ２１において、ピッチベンドホイール２４ｃは操作されていないと判定した場合（ステップＳ２１；Ｎｏ）、図６に示すように、制御部８０は、ペダルユニット３のペダル３１が操作されたか否かを判定する（ステップＳ３１）。
そして、ペダル３１が操作されたと判定した場合（ステップＳ２１；Ｙｅｓ）、制御部８０は、入力部４０によりその操作内容を検出し、操作されたペダル３１とその操作内容に対応した楽音変化を生じさせる（ステップＳ３２）。
例えばソステヌートペダル３１ｂが操作された場合には、制御部８０は、ソステヌートペダル３１ｂが操作された時点で押下されていた鍵２１の楽音を伸ばす。
【００３０】
またこのとき、制御部８０は、ペダル操作により楽音変化している特定の鍵２１を、その時点で押下されているか否かに関わらず、発光させる（ステップＳ３３）。
例えば図８（ｂ）に示すように、制御部８０は、押鍵されてペダル操作による楽音変化を生じている鍵２１を発光させ、押鍵されていてもペダル３１操作による楽音変化がない鍵２１は、図中に破線で示すように発光させない。また、このとき、楽音変化を生じている鍵２１の発光状態（例えば発光強度）を、楽音変化の状態に応じて変化させる（例えば、楽音変化を開始した時点の発光強度が最も強く、楽音変化を完了した時点で発光を停止する）ようにしてもよい。但し、このときの発光態様は特に限定されない。
これにより、ペダル操作による楽音変化を報知することができ、ユーザ（演奏者）はその効果を視覚的に認識することができる。
【００３１】
次に、図３に示すように、制御部８０は、ステップＳ１で押下された鍵２１の離鍵操作がなされるか否かを判定し（ステップＳ９）、離鍵操作がされていないと判定した場合（ステップＳ９；Ｎｏ）、上述のステップＳ５へ処理を移行する。
そして、この鍵２１の離鍵操作がされたと判定した場合には（ステップＳ９；Ｙｅｓ）、制御部８０は、当該鍵２１に対する鍵盤発光処理を終了する。
【００３２】
以上のように、本実施形態によれば、演奏者により操作部２３やペダルユニット３が操作されると、この操作による楽音の変化内容に応じた発光態様で鍵盤部２２の発光部２１１が発光する。
これにより、楽音操作による楽音変化の内容を報知することができ、この楽音変化の内容を演奏者に視覚的に認識させることができる。
【００３３】
また、押鍵操作時にボリュームつまみ２４ａが操作された場合に、音量の変化内容に基づいて、鍵２１（発光部２１１）の発光強度、点滅速度、発光色及び発光数のうちのいずれかが変化する。
これにより、楽音の音量変化を報知することができ、演奏者は音量変化の程度を視覚的に認識することができる。
【００３４】
また、押鍵操作時にモジュレーションホイール２４ｂが操作された場合に、楽音に付与されるビブラート周波数に対応した点滅周期で鍵２１（発光部２１１）が発光する。
これにより、楽音のビブラートを報知することができ、演奏者はビブラートのかかり具合を視覚的に認識することができる。
【００３５】
また、押鍵操作時にピッチベンドホイール２４ｃが操作された場合に、その音高の変化内容に基づいて、押下された鍵２１の発光部２１１と、音高の変化方向に対応した他の鍵２１Ａの発光部２１１とが発光する。
これにより、楽音のピッチ変化を報知することができ、演奏者はピッチベンダーのかかり具合を視覚的に認識することができる。
【００３６】
また、押鍵操作時にピッチベンドホイール２４ｃが操作された場合に、押下された鍵２１の発光部２１１と他の鍵２１Ａの発光部２１１とが、音高の変化内容に対応した発光強度で発光する。
これにより、演奏者はピッチベンダーのかかり具合をより容易に視覚的に認識することができる。
【００３７】
また、押鍵操作時にペダル３１が操作された場合に、押下された鍵２１であってペダル３１の操作により楽音が変化している鍵２１の発光部２１１のみが発光する。
これにより、ペダル操作による楽音変化（いずれの鍵２１の楽音が変化しているか）を報知することができ、演奏者はその効果を視覚的に認識することができる。
【００３８】
［変形例］
なお、上記実施形態では、鍵盤発光処理において、ピッチベンド操作がされたときにステップＳ２３で音高の変化を一時に（一回の発光で）示すこととしたが、音高の段階的な変化を示すこととしてもよい。
この際には、図９に示すように、ピッチベンドホイール２４ｃが操作されたと判定した場合に（ステップＳ２１；Ｙｅｓ）、制御部８０は、音高の変化方向とともにその最終変化量を特定する（ステップＳ２５）。そして、制御部８０は、次に変化させる段階的な音高の変化量を決定する（ステップＳ２６）。それから、制御部８０は、元の音高と最終変化させた音高に対応する鍵とを、段階的な音高の変化量に対応する発光パターン（例えば発光量）で発光させる（ステップＳ２７）。その後、制御部８０は、最終変化量まで音高が変化したか否かを判定し（ステップＳ２８）、変化するまでステップＳ２６、Ｓ２７を繰り返せばよい。つまり、楽音の音高の変化を開始してから完了するまでの間、押鍵位置の鍵２１の発光強度を徐々に弱くしていくと同時に、他の鍵２１Ａの発光強度を徐々に強くしていく。
これにより、楽音の段階的なピッチ変化を報知することができ、ユーザ（演奏者）は段階的なピッチ変化を視覚的に認識することができる。
【００３９】
また、上記実施形態では、鍵盤発光処理において、ボリューム操作、モジュレーション操作、ピッチベンド操作及びペダル操作の全ての楽音操作についての有無判定が含まれることとした。しかし、鍵盤発光処理には、これらの楽音操作のうちの少なくとも１つが含まれていればよい。
【００４０】
また、モジュレーション操作は楽音にビブラートをかけるものに限定されず、例えばトレモロなどの他の楽音変化を付与するものであってもよい。
また、ペダル操作についてはソステヌートペダル３１ｂを例に挙げて説明したが、ダンパーペダル３１ａやソフトペダル３１ｃについても、ソステヌートペダル３１ｂのときと同様に、その楽音効果のかかり具合に応じて鍵２１を発光させればよいのは勿論である。
【００４１】
また、楽音の変化内容に応じた発光部２１１の発光態様は、上述のものに限定されない。例えば、打鍵した後にその音が小さくなるに連れて、鍵２１（発光部２１１）の発光強度が弱まるようにしてもよい。また、楽音が変化した時点でその変化内容に応じて発光部２１１を発光させればよく、その前の押鍵時に発光部２１１が予め発光していなくともよい。
さらに、発光部２１１は、鍵盤部２２に設けられていれば複数の鍵２１の各々に設けられていなくともよい。但し、複数の鍵２１に対応しているのが好ましいのは勿論である。
【００４２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の鍵及び発光部を有する鍵盤部と、
前記複数の鍵のうちの押鍵操作された鍵に対応する音高の楽音を発生させる楽音発生手段と、
前記押鍵操作以外のユーザ操作により、前記楽音発生手段が発生させた楽音の変化内容を指示する楽音操作部と、
前記楽音操作部への操作による楽音の変化内容に応じた発光態様で、前記発光部を発光させる発光制御手段と、
を備えることを特徴とする電子鍵盤楽器。
＜請求項２＞
前記発光部が前記複数の鍵の各々に設けられており、
前記発光制御手段は、前記押鍵操作が行われた鍵の発光部を、前記楽音の変化内容に応じた発光態様で発光させることを特徴とする請求項１に記載の電子鍵盤楽器。
＜請求項３＞
前記発光制御手段は、前記押鍵操作が行われた鍵の発光部と、前記押鍵操作が行われていない鍵の発光部とを、前記楽音の変化内容に応じた発光態様で発光させることを特徴とする請求項２に記載の電子鍵盤楽器。
＜請求項４＞
前記発光部が前記複数の鍵の各々に設けられており、
前記発光制御手段は、複数の前記発光部を同時に発光させる発光態様を、前記楽音の変化内容に応じて変化させることを特徴とする請求項１から３のいずれか一項に記載の電子鍵盤楽器。
＜請求項５＞
前記発光制御手段は、前記押鍵操作が行われた鍵を基準として選択された複数の鍵の発光部を同時に発光させる発光態様を、前記楽音の変化内容に応じて変化させることを特徴とする請求項４に記載の電子鍵盤楽器。
＜請求項６＞
前記楽音発生手段は、前記押鍵操作の強さ又は速さに応じた音量で楽音を発生させ、
前記発光制御手段は、前記発光部を、前記押鍵操作の強さ又は速さに応じた発光態様で発光させるとともに、前記楽音の変化内容に応じた発光態様で発光させることを特徴とする請求項１から５のいずれか一項に記載の電子鍵盤楽器。
＜請求項７＞
前記発光制御手段は、前記複数の鍵の発光部を、前記押鍵操作の強さ又は速さと、前記楽音の変化内容との組み合わせに応じた発光態様で発光させることを特徴とする請求項６に記載の電子鍵盤楽器。
＜請求項８＞
前記楽音操作部は、楽音の音量を変化させるボリューム操作子を有し、
前記発光制御手段は、前記押鍵操作が行われたときであって前記ボリューム操作子が操作された場合に、音量の変化内容に基づいて前記発光部を発光させることを特徴とする請求項１から７のいずれか一項に記載の電子鍵盤楽器。
＜請求項９＞
前記楽音操作部は、楽音にビブラートを付与するモジュレーション操作子を有し、
前記発光制御手段は、前記押鍵操作が行われたときであって前記モジュレーション操作子が操作された場合に、付与されたビブラートの内容に基づいて前記発光部を発光させることを特徴とする請求項１から７のいずれか一項に記載の電子鍵盤楽器。
＜請求項１０＞
前記発光制御手段は、前記押鍵操作が行われたときであって前記モジュレーション操作子が操作された場合に、付与されたビブラート周波数に対応した点滅周期で前記発光部を発光させることを特徴とする請求項９に記載の電子鍵盤楽器。
＜請求項１１＞
前記発光部が前記複数の鍵の各々に設けられており、
前記楽音操作部は、楽音の音高を変化させるピッチベンド操作子を有し、
前記発光制御手段は、前記押鍵操作が行われたときであって前記ピッチベンド操作子が操作された場合に、音高の変化内容に基づいて、前記押鍵操作が行われた鍵の発光部と、音高の変化方向に対応した他の鍵の発光部とを発光させることを特徴とする請求項１から７のいずれか一項に記載の電子鍵盤楽器。
＜請求項１２＞
前記発光制御手段は、前記押鍵操作が行われたときであって前記ピッチベンド操作子が操作された場合に、前記押鍵操作が行われた鍵の発光部と前記他の鍵の発光部とを、音高の変化内容に対応した発光強度で発光させることを特徴とする請求項１１に記載の電子鍵盤楽器。
＜請求項１３＞
前記発光部が前記複数の鍵の各々に設けられており、
前記楽音操作部は、楽音を変化させるペダルを有し、
前記発光制御手段は、前記押鍵操作が行われたときであって前記ペダルが操作された場合に、前記押鍵操作が行われた鍵であって前記ペダルの操作により楽音が変化している鍵の発光部を発光させることを特徴とする請求項１から７のいずれか一項に記載の電子鍵盤楽器。
＜請求項１４＞
複数の鍵及び発光部を有する鍵盤部と、前記複数の鍵のうちの押鍵操作された鍵に対応する音高の楽音を発生させる楽音発生手段と、前記押鍵操作以外のユーザ操作により、前記楽音発生手段が発生させた楽音の変化内容を指示する楽音操作部と、を備える電子鍵盤楽器の鍵盤発光方法であって、
発光制御手段が、前記楽音操作部への操作による楽音の変化内容に応じた発光態様で、前記発光部を発光させることを特徴とする鍵盤発光方法。
＜請求項１５＞
複数の鍵及び発光部を有する鍵盤部と、前記複数の鍵のうちの押鍵操作された鍵に対応する音高の楽音を発生させる楽音発生手段と、前記押鍵操作以外のユーザ操作により、前記楽音発生手段が発生させた楽音の変化内容を指示する楽音操作部と、を備える電子鍵盤楽器の鍵盤発光プログラムであって、
コンピュータを、前記楽音操作部への操作による楽音の変化内容に応じた発光態様で、前記発光部を発光させる発光制御手段として機能させることを特徴とする鍵盤発光プログラム。
【符号の説明】
【００４３】
１      電子鍵盤楽器
２      鍵盤楽器本体
３      ペダルユニット
２１    鍵
２２    鍵盤部
２３    操作部
２４    操作子
２４ａ  ボリュームつまみ
２４ｂ  モジュレーションホイール
２４ｃ  ピッチベンドホイール
３１    ペダル
３１ａ  ダンパーペダル
３１ｂ  ソステヌートペダル
３１ｃ  ソフトペダル
４０    入力部
６０    音声出力部
７１    鍵盤発光プログラム
８０    制御部
２１１  発光部
【図１】
2019060945.tif 000003
【図２】
2019060945.tif 000004
【図３】
2019060945.tif 000005
【図４】
2019060945.tif 000006
【図５】
2019060945.tif 000007
【図６】
2019060945.tif 000008
【図７】
2019060945.tif 000009
【図８】
2019060945.tif 000010
【図９】
2019060945.tif 000011